(57)【要約】【課題】航空灯火用定電流調整装置の更新作業を効率よく実施すること。【解決手段】実施形態に係る定電流調整装置の更新方法は、取外ステップと、取付ステップとを含む。取外ステップは、交流電源から定電流を生成する既設の定電流調整ユニットと、既設の定電流調整ユニットが取付けられる取付部を具備するフレームおよび扉と、を具備する既設の定電流調整装置から既設の定電流調整ユニットを取外す。取付ステップは、交流電源から定電流を生成する新設の定電流調整ユニットを、既設の定電流調整ユニットが取外された取付部に取付ける。また、取付ステップは、新設の定電流調整ユニットに具備される制御部およびタッチパネルを、扉の取付部に取付ける。【選択図】図３
2020054202.tif 000002
【特許請求の範囲】
【請求項１】
交流電源から定電流を生成する既設の定電流調整ユニットと、前記既設の定電流調整ユニットが取付けられる取付部を具備するフレームおよび扉と、を具備する既設の定電流調整装置から前記既設の定電流調整ユニットを取外す取外ステップと；
交流電源から定電流を生成する新設の定電流調整ユニットを、前記既設の定電流調整ユニットが取外された前記取付部に取付ける取付ステップと；
を含み、
前記取付ステップは、
前記新設の定電流調整ユニットに具備される制御部およびタッチパネルを、前記扉の前記取付部に取付ける
定電流調整装置の更新方法。
【請求項２】
前記取付ステップは、
前記扉の裏側に設けられる前記取付部に前記制御部および前記タッチパネルを取付ける
請求項１に記載の定電流調整装置の更新方法。
【請求項３】
前記新設の定電流調整ユニットは、遮断器と、電磁接触器と、電力変換器と、前記電力変換器を駆動するゲート回路と、負荷側の異常を検出する異常検出部と、外部からの信号を受信する信号受信部と、前記新設の定電流調整ユニット内の所定の機器に電力を供給する制御トランスと、ヒューズと、トランスデューサーと、出力トランスと、を具備し、
前記取付ステップは、
前記遮断器と、前記電磁接触器と、前記電力変換器と、前記ゲート回路と、前記異常検出部と、前記信号受信部と、前記制御トランスと、前記ヒューズと、前記トランスデューサーと、前記出力トランスとを、前記フレームの前記取付部に取付ける
請求項１または２に記載の定電流調整装置の更新方法。
【請求項４】
前記制御部は、伝送機能を具備する
請求項１〜３のいずれか一つに記載の定電流調整装置の更新方法。
【請求項５】
前記制御部は、外部より制御情報を更新する機能を具備する
請求項１〜４のいずれか一つに記載の定電流調整装置の更新方法。
【請求項６】
フレームおよび扉と；
前記フレームに収容されるベースユニットと；
少なくとも一部が前記ベースユニットの取付部に取付けられ、交流電源から定電流を生成する定電流調整ユニットと；
を具備する定電流調整装置。
【請求項７】
前記ベースユニットは、キャスターを具備し、
前記フレームは、前記キャスターに対応する位置にキャスターレールを具備する
請求項６に記載の定電流調整装置。
【請求項８】
前記ベースユニットは、中板を具備し、
前記定電流調整ユニットは、前記中板に具備される前記取付部に取付けられる
請求項６または７に記載の定電流調整装置。
【請求項９】
前記中板は、前記ベースユニットから引き出し可能である
請求項８に記載の定電流調整装置。
【発明の詳細な説明】
【技術分野】
【０００１】
本発明の実施形態は、航空灯火用定電流調整装置の更新方法および定電流調整装置に関する。
【背景技術】
【０００２】
従来、飛行場の進入灯や滑走路灯などの航空灯火を点灯させるため、交流電源から定電流を生成する定電流調整装置を介して各航空灯火に電力が供給される。
【０００３】
しかしながら、定電流調整装置を更新するため、既設の定電流調整装置をすべて取り外して新設の定電流調整装置を設置しようとした場合、新設の定電流調整装置へ更新する作業に、スペースの確保と多くの時間がかかってしまう。
【先行技術文献】
【特許文献】
【０００４】
【特許文献１】特開２０１２−６４３６０号公報
【発明の概要】
【発明が解決しようとする課題】
【０００５】
本発明が解決しようとする課題は、定電流調整装置の更新作業を効率よく実施することができる定電流調整装置の更新方法および定電流調整装置を提供することである。
【課題を解決するための手段】
【０００６】
実施形態に係る定電流調整装置の更新方法は、取外ステップと、取付ステップとを含む。取外ステップは、交流電源から定電流を生成する既設の定電流調整ユニットと、前記既設の定電流調整ユニットが取付けられる取付部を具備するフレームおよび扉と、を具備する既設の定電流調整装置から前記既設の定電流調整ユニットを取外す。取付ステップは、交流電源から定電流を生成する新設の定電流調整ユニットを、前記既設の定電流調整ユニットが取外された前記取付部に取付ける。また、前記取付ステップは、前記新設の定電流調整ユニットに具備される制御部およびタッチパネルを、前記扉の前記取付部に取付ける。
【発明の効果】
【０００７】
本発明によれば、定電流調整装置の更新作業を効率よく実施することができる。
【図面の簡単な説明】
【０００８】
【図１】図１は、実施形態に係る既設の定電流調整装置の機能構成の一例を示すブロック図である。
【図２】図２は、実施形態に係る取外工程後の装置盤を説明するための模式図である。
【図３】図３は、実施形態に係る定電流調整装置の機能構成の一例を示すブロック図である。
【図４】図４は、実施形態に係る取付工程後の定電流調整装置を説明するための模式図である。
【図５】図５は、実施形態に係る定電流調整装置の更新工程を示すフローチャートである。
【図６】図６は、実施形態の変形例に係る定電流調整装置の更新工程を説明するための模式図である。
【図７】図７は、実施形態の変形例に係る定電流調整装置の更新工程を示すフローチャートである。
【発明を実施するための形態】
【０００９】
以下で説明する実施形態に係る定電流調整装置１の更新方法は、取外ステップ（ステップＳ１０１）と、取付ステップ（ステップＳ１０２）とを含む。取外ステップ（ステップＳ１０１）は、交流電源から定電流を生成する既設の定電流調整ユニット１２０と、既設の定電流調整ユニット１２０が取付けられる取付部を具備するフレーム１１および扉１２と、を具備する既設の定電流調整装置１００から既設の定電流調整ユニット１２０を取外す。取付ステップ（ステップＳ１０２）は、交流電源から定電流を生成する新設の定電流調整ユニット２０を、既設の定電流調整ユニット１２０が取外された取付部に取付ける。また、取付ステップ（ステップＳ１０２）は、新設の定電流調整ユニット２０に具備される制御部２５およびタッチパネル２８を、扉１２の取付部に取付ける。
【００１０】
また、以下で説明する実施形態に係る定電流調整装置１の更新方法において、取付ステップ（ステップＳ１０２）は、扉１２の裏側に設けられる取付部に制御部２５およびタッチパネル２８を取付ける。
【００１１】
また、以下で説明する実施形態に係る定電流調整装置１の更新方法において、新設の定電流調整ユニット２０は、遮断器２１と、電磁接触器２２と、電力変換器２３と、電力変換器２３を駆動するゲート回路２４と、内部の異常を検出する異常検出部２６と、外部からの信号を受信する信号受信部２９と、新設の定電流調整ユニット２０内の所定の機器に電力を供給する制御トランス３２と、ヒューズ３３と、トランスデューサー３４と、出力トランス３５と、を具備し、取付ステップ（ステップＳ１０２）は、遮断器２１と、電磁接触器２２と、電力変換器２３と、ゲート回路２４と、異常検出部２６と、信号受信部２９と、制御トランス３２と、ヒューズ３３と、トランスデューサー３４と、出力トランス３５とを、フレーム１１の取付部に取付ける。
【００１２】
また、以下で説明する実施形態に係る定電流調整装置１の更新方法において、制御部２５は、伝送機能を具備する。
【００１３】
また、以下で説明する実施形態に係る定電流調整装置１の更新方法において、制御部２５は、外部より制御情報を更新する機能を具備する。
【００１４】
また、以下で説明する実施形態に係る定電流調整装置１は、フレーム１１および扉１２と、フレーム１１に収容されるベースユニット５０と、少なくとも一部がベースユニット５０の取付部に取付けられ、交流電源から定電流を生成する定電流調整ユニット（新設の定電流調整ユニット２０）と、を具備する。
【００１５】
また、以下で説明する実施形態に係る定電流調整装置１において、ベースユニット５０は、キャスター５３を具備し、フレーム１１は、キャスター５３に対応する位置にキャスターレール１５を具備する。
【００１６】
また、以下で説明する実施形態に係る定電流調整装置１において、ベースユニット５０は、中板５２を具備し、定電流調整ユニット（新設の定電流調整ユニット２０）は、中板５２に具備される取付部に取付けられる。
【００１７】
また、以下で説明する実施形態に係る定電流調整装置１において、中板５２は、ベースユニット５０から引き出し可能である。
【００１８】
以下、図面を参照して、実施形態に係る定電流調整装置１の更新方法および定電流調整装置１について説明する。なお、実施形態において同一の部位には同一の符号を付し、重複する説明は省略される。
【００１９】
［実施形態］
最初に、既設の定電流調整ユニット１２０が取り外される前の既設の定電流調整装置１００の機能構成について、図１を参照しながら説明する。図１は、実施形態に係る既設の定電流調整装置１００の機能構成の一例を示すブロック図である。
【００２０】
図１に示すように、既設の定電流調整装置１００は、フレーム１１および扉１２で構成される装置盤１０と、既設の定電流調整ユニット１２０とを具備する。装置盤１０は、既設の定電流調整ユニット１２０を収容する箱状の筐体である。かかる装置盤１０の詳細については後述する。
【００２１】
既設の定電流調整ユニット１２０は、交流電源から所望の定電流を生成する。既設の定電流調整ユニット１２０は、遮断器１２１と、電磁接触器１２２と、電力変換器１２３と、ゲート回路１２４と、ゲート回路制御部１２５と、異常検出部１２６と、異常検出制御部１２７と、操作表示部１２８と、信号受信部１２９と、表示制御部１３０と、マザーボード１３１と、制御トランス１３２と、ヒューズ１３３と、トランスデューサー１３４と、出力トランス１３５とを具備する。
【００２２】
遮断器１２１は、主配線保護用の遮断器と制御回路用の遮断器とを具備する。電磁接触器１２２は、遮断器１２１のうち、主配線保護用の遮断器の二次側に接続される。電力変換器１２３は、電磁接触器１２２の二次側に接続される。ゲート回路１２４は、電力変換器１２３を駆動するための回路である。
【００２３】
ゲート回路制御部１２５は、ゲート回路１２４を制御する信号をかかるゲート回路１２４に出力する。異常検出部１２６は、既設の定電流調整装置１００の負荷側で発生する断芯や過電流、開路、アークなどの異常を検出する。異常検出制御部１２７は、異常検出部１２６で検出された異常に関する信号を操作表示部１２８に出力する。
【００２４】
操作表示部１２８は、既設の定電流調整装置１００の操作を行うとともに、既設の定電流調整装置１００の状態を表示する。信号受信部１２９は、外部からの信号を受信する。表示制御部１３０は、操作表示部１２８および信号受信部１２９を制御する。
【００２５】
マザーボード１３１には、ゲート回路制御部１２５と、異常検出部１２６と、異常検出制御部１２７と、信号受信部１２９と、表示制御部１３０とが搭載される。また、マザーボード１３１は、ゲート回路制御部１２５と、異常検出制御部１２７と、表示制御部１３０とを１つの制御部として機能させるためにやりとりされる信号を送る信号線を具備する。
【００２６】
制御トランス１３２は、マザーボード１３１に搭載される上述の各部に電力を供給する。ヒューズ１３３は、電磁接触器１２２と電力変換器１２３との間に設けられ、速断性を有する。トランスデューサー１３４は、出力電流値を外部で表示するためのトランスデューサーと、絶縁監視抵抗値を外部で表示するためのトランスデューサーとを具備する。出力トランス１３５は、電力変換器１２３に接続される。
【００２７】
そして、実施形態では、まず、既設の定電流調整装置１００から既設の定電流調整ユニット１２０が取り外される。これにより、図２に示すように、既設の定電流調整ユニット１２０が取り外された装置盤１０が残る。図２は、実施形態に係る取外工程後の装置盤１０を説明するための模式図である。
【００２８】
図２に示すように、装置盤１０は、フレーム１１と、扉１２とを具備する。フレーム１１は、前面および背面（図示なし）に開口部を具備し、内部に中板１３を具備する。そして、フレーム１１本体や中板１３などには取付部が設けられる。
【００２９】
取付部とは、既設の定電流調整ユニット１２０を取り付け可能に構成される部位であり、たとえば、取り付け穴などである。なお、取付部は取り付け穴に限られず、既設の定電流調整ユニット１２０を取り付け可能に構成される部位であればどのような部位であってもよい。また、図２では、水平に配置された中板１３について示しているが、中板１３は水平に配置される場合に限られず、たとえば垂直に配置してもよい。
【００３０】
扉１２は、フレーム１１の前面に形成された開口部を塞ぐ。扉１２には、開口部１４が形成される。かかる開口部１４は、上述した操作表示部１２８を前面に露出させるための部位である。なお、扉１２にも、フレーム１１と同様に、既設の定電流調整ユニット１２０を取り付け可能に構成される取付部が設けられる。なお、図示は省略するがフレーム１１の背面の開口部も前面と同様扉によって塞がれるように構成されている。また、既設の定電流調整ユニット１２０は、背面側に出力トランス１３５や出力ケーブル等を配設してもよく、フレーム１１の背面側に開口部を設けたことによって、背面側から例えば出力トランス１３５の出力電力の変更や交換、電気部材や出力ケーブルの点検などのメンテナンス作業を行うことができる。
【００３１】
次に、実施形態では、装置盤１０に新設の定電流調整ユニット２０を取り付ける。図３は、実施形態に係る定電流調整装置１の機能構成の一例を示すブロック図であり、図４は、実施形態に係る更新工程後の定電流調整装置１を説明するための模式図である。
【００３２】
図３に示すように、フレーム１１および扉１２で構成される装置盤１０に新設の定電流調整ユニット２０が取り付けられて、更新された定電流調整装置１が構成される。新設の定電流調整ユニット２０は、交流電源から所望の定電流を生成する。
【００３３】
新設の定電流調整ユニット２０は、遮断器２１と、電磁接触器２２と、電力変換器２３と、ゲート回路２４と、制御部２５と、異常検出部２６と、タッチパネル２８と、信号受信部２９と、マザーボード３１と、制御トランス３２と、ヒューズ３３と、トランスデューサー３４と、出力トランス３５とを具備する。
【００３４】
なお、遮断器２１は遮断器１２１と同様の機能を具備し、電磁接触器２２は電磁接触器１２２と同様の機能を具備し、電力変換器２３は電力変換器１２３と同様の機能を具備し、ゲート回路２４はゲート回路１２４と同様の機能を具備し、異常検出部２６は異常検出部１２６と同様の機能を具備する。
【００３５】
また、信号受信部２９は信号受信部１２９と同様の機能を具備し、制御トランス３２は制御トランス１３２と同様の機能を具備し、ヒューズ３３はヒューズ１３３と同様の機能を具備し、トランスデューサー３４はトランスデューサー１３４と同様の機能を具備し、出力トランス３５は出力トランス１３５と同様の機能を具備する。
【００３６】
一方で、制御部２５は、ゲート回路制御部１２５と、異常検出制御部１２７と、表示制御部１３０とが１つに統合された制御部である。また、タッチパネル２８は、定電流調整装置１の操作をタッチ操作で行うとともに、定電流調整装置１の状態を画面に表示する。
【００３７】
たとえば、図４に示すように、新設の定電流調整ユニット２０のうち、制御トランス３２は、フレーム１１の最も上段の中板１３に取り付けられる。また、新設の定電流調整ユニット２０のうち、遮断器２１と電磁接触器２２とがユニット化されたユニット４１と、異常検出部２６とは、フレーム１１の上から２段目の中板１３に取り付けられる。
【００３８】
また、新設の定電流調整ユニット２０のうち、電力変換器２３とゲート回路２４とヒューズ３３とがユニット化されたユニット４２は、フレーム１１の上から３段目の中板１３に取り付けられる。
【００３９】
また、新設の定電流調整ユニット２０のうち、トランスデューサー３４は、フレーム１１の上から４段目の中板１３に取り付けられる。また、新設の定電流調整ユニット２０のうち、信号受信部２９は、底部のフレーム１１に取り付けられる。
【００４０】
また、新設の定電流調整ユニット２０のうち、タッチパネル２８は、開口部１４から前面に表示面が露出するように、扉１２の裏側の取付部に取り付けられる。また、新設の定電流調整ユニット２０のうち、制御部２５は、扉１２の裏側の取付部に取り付けられる。
【００４１】
なお、図４には図示していないが、出力トランス３５もフレーム１１内の所定の位置、例えばフレーム１１の背面側に取り付けられる。出力トランス３５を背面側に取り付けることで、フレーム１１の背面側の扉を開けて出力トランス３５の出力電力の変更や交換が可能となっている。
【００４２】
ここで、実施形態では、既設の定電流調整ユニット１２０を取り付け可能に構成され、かかる既設の定電流調整ユニット１２０が取り外されたフレーム１１および扉１２の取付部に、新設の定電流調整ユニット２０を取り付ける。
【００４３】
換言すると、新設の定電流調整ユニット２０と既設の定電流調整ユニット１２０とは、サイズが略等しい取付部に合わせて実装することができるとともに、新設の定電流調整ユニット２０は、フレーム１１および扉１２の取付部に嵌まり合う固定部材（たとえば、ボルトやナットなど）の取付位置が既設の定電流調整ユニット１２０と共通である。
【００４４】
これにより、新設の定電流調整ユニット２０を、問題なくフレーム１１および扉１２の取付部に取り付けることができる。すなわち、実施形態では、既設の定電流調整装置１００の装置盤１０をそのまま利用することができる。
【００４５】
したがって、実施形態によれば、定電流調整装置１の更新作業を実施する際に、既設の定電流調整装置１００すべてを撤去する必要がなくなることから、定電流調整装置１の更新作業を効率よく実施することができる。
【００４６】
そして、実施形態では、制御部２５およびタッチパネル２８を、扉１２の取付部に取付けるとよい。このように、既設のゲート回路制御部１２５、異常検出制御部１２７および表示制御部１３０が１つに統合された制御部２５をタッチパネル２８とともに扉１２に取り付けることにより、上記既設の各制御部が取り付けられていたフレーム１１内のスペースを別の装置などで有効に活用することができる。
【００４７】
また、実施形態では、扉１２の裏側に設けられる取付部に制御部２５およびタッチパネル２８を取付けるとよい。これにより、扉１２表側の意匠性を損なうことなく、扉１２に制御部２５およびタッチパネル２８を取り付けることができる。
【００４８】
また、実施形態では、遮断器２１と、電磁接触器２２と、電力変換器２３と、ゲート回路２４と、異常検出部２６と、信号受信部２９と、制御トランス３２と、ヒューズ３３と、トランスデューサー３４と、出力トランス３５とを、フレーム１１の取付部に取り付けるとよい。
【００４９】
このように、定電流調整機能の実現に必要となる機器のうち、設置にスペースや耐荷重性能が必要となる上記の各機器をフレーム１１に取り付けることにより、定電流調整装置１に必要な定電流調整機能を問題なく具備させることができる。
【００５０】
なお、実施形態では、上記の各機器をフレーム１１の取付部に取り付けた例について示したが、上記の各機器のうち一部の機器は扉１２の取付部に取り付けられてもよい。
【００５１】
また、実施形態では、制御部２５が伝送機能を具備するとよい。この伝送機能とは、外部の制御装置（図示せず）などからの指示により、定電流調整装置１に接続される航空灯火（図示せず）などの点検を行う点検機能における動作指令の信号や、点検結果の情報信号を送受信する機能のことである。これにより、実施形態では、伝送機能が具備された定電流調整装置１に更新することができる。
【００５２】
また、実施形態では、制御部２５が外部より制御情報を更新する機能を具備するとよい。これにより、既設の定電流調整ユニット１２０で用いた各種制御情報に基づいて、外部の端末などから容易に新設の定電流調整ユニット２０の各種制御情報を更新することができる。
【００５３】
なお、実施形態では、制御部２５を扉１２の取付部に取り付けた例について示したが、制御部２５はフレーム１１の取付部に取り付けられてもよい。また、実施形態では、既設の定電流調整装置１００に含まれる既設の扉１２に制御部２５およびタッチパネル２８を取り付けた例について示したが、既設の扉１２を取り外して、新設の扉と制御部２５およびタッチパネル２８とまとめて交換してもよい。
【００５４】
また、実施形態では、既設の定電流調整ユニット１２０をすべて取外し、新設の定電流調整ユニット２０に更新した例について示したが、既設の定電流調整ユニット１２０に含まれる機器のうち一部の機器を残したまま新設の定電流調整ユニット２０に更新してもよい。また、この場合、残された一部の機器を新設の定電流調整ユニット２０の機器として用いてもよい。
【００５５】
［実施形態の更新工程］
つづいて、実施形態に係る定電流調整装置１の更新工程について、図５を参照しながら説明する。図５は、実施形態に係る定電流調整装置１の更新工程を示すフローチャートである。
【００５６】
最初に、既設の定電流調整装置１００に取り付けられている既設の定電流調整ユニット１２０をフレーム１１および扉１２の取付部から取り外す（ステップＳ１０１）。次に、既設の定電流調整ユニット１２０が取り外されたフレーム１１および扉１２の取付部に、新設の定電流調整ユニット２０を取り付けて（ステップＳ１０２）、更新工程を終了する。
【００５７】
［変形例］
以降においては、実施形態の変形例について、図６および図７を参照しながら説明する。図６は、実施形態の変形例に係る定電流調整装置１の更新工程を説明するための模式図である。
【００５８】
図６に示すように、変形例に係る定電流調整装置１の更新工程は、フレーム１１の中板１３などに新設の定電流調整ユニット２０を直接取り付けるのではなく、新設の定電流調整ユニット２０があらかじめ取り付けられたベースユニット５０をフレーム１１内に収容する。
【００５９】
このように、変形例では、定電流調整装置１の更新作業において、新設の定電流調整ユニット２０をあらかじめベースユニット５０に取り付けておく。これにより、現場の更新作業ではベースユニット５０をフレーム１１内に収容するだけで、新設の定電流調整ユニット２０をフレーム１１内に取り付ける作業を終了させることができる。
【００６０】
したがって、変形例によれば、定電流調整装置１の更新作業を効率よく実施することができる。
【００６１】
ベースユニット５０は、フレーム５１と、中板５２と、キャスター５３とを具備し、フレーム１１内に収容可能なサイズである。フレーム５１は、直方体状の枠体であり、新設の定電流調整ユニット２０を取り付け可能に構成される取付部を具備する。また、フレーム５１の内部には、複数の中板５２が取り付けられている。
【００６２】
中板５２は、新設の定電流調整ユニット２０を取り付け可能に構成される取付部を具備する。このように、フレーム５１や中板５２に取付部を設けることにより、ベースユニット５０は、新設の定電流調整ユニット２０を問題なく取り付けることができる。
【００６３】
また、変形例では、中板５２がベースユニット５０から引き出し可能に構成されているとよい。これにより、中板５２をベースユニット５０から引き出した状態で新設の定電流調整ユニット２０を取り付けることができることから、ベースユニット５０に新設の定電流調整ユニット２０を容易に取り付けることができる。
【００６４】
キャスター５３は、ベースユニット５０の底部に設けられる。これにより、変形例では、新設の定電流調整ユニット２０を具備する重量物であるベースユニット５０を容易に水平移動させることができる。
【００６５】
また、変形例では、図６に示すように、フレーム１１の底部におけるキャスター５３に対応する位置にキャスターレール１５を具備するとよい。これにより、キャスター５３が具備されたベースユニット５０を容易にフレーム１１内の所定の位置に収容することができる。したがって、変形例によれば、定電流調整装置１の更新作業をさらに効率よく実施することができる。
【００６６】
また、変形例では、図６に示すように、ベースユニット５０をフレーム１１内に収容する前に、フレーム１１内の主要な中板１３を取り外しておくとよい。これにより、大きなサイズのベースユニット５０がフレーム１１内に収容可能となることから、新設の定電流調整ユニット２０に含まれる多くの機器をベースユニット５０に取り付け可能となる。
【００６７】
なお、変形例では、制御部２５をベースユニット５０の取付部に取付けてもよいし、扉１２の取付部に制御部２５を取り付けてもよい。一方で、制御部２５をベースユニット５０の取付部に取り付けることにより、定電流調整装置１の更新作業の前に制御部２５の取り付け作業を行うことができることから、定電流調整装置１の更新作業をさらに効率よく実施することができる。
【００６８】
図７は、実施形態の変形例に係る定電流調整装置１の更新工程を示すフローチャートである。
【００６９】
最初に、既設の定電流調整装置１００に取り付けられている既設の定電流調整ユニット１２０をフレーム１１および扉１２の取付部から取り外す（ステップＳ２０１）。次に、既設のフレーム１１から主要な中板１３を取り外す（ステップＳ２０２）。
【００７０】
次に、中板１３が取り外されたフレーム１１に、新設の定電流調整ユニット２０が取り付けられたベースユニット５０を収容する（ステップＳ２０３）。そして、既設の定電流調整ユニット１２０が取り外された扉１２の取付部に、新設の定電流調整ユニット２０を取り付けて（ステップＳ２０４）、更新工程を終了する。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１    定電流調整装置
１０    装置盤
１１    フレーム
１２    扉
１３    中板
１４    開口部
１５    キャスターレール
２０    新設の定電流調整ユニット
２１    遮断器
２２    電磁接触器
２３    電力変換器
２４    ゲート回路
２５    制御部
２６    異常検出部
２８    タッチパネル
２９    信号受信部
３２    制御トランス
３３    ヒューズ
３４    トランスデューサー
３５    出力トランス
５０    ベースユニット
５１    フレーム
５２    中板
５３    キャスター
１００  既設の定電流調整装置
１２０  既設の定電流調整ユニット
【図１】
2020054202.tif 000003
【図２】
2020054202.tif 000004
【図３】
2020054202.tif 000005
【図４】
2020054202.tif 000006
【図５】
2020054202.tif 000007
【図６】
2020054202.tif 000008
【図７】
2020054202.tif 000009